(57)【特許請求の範囲】
【請求項１】
建物の外壁面（２）に開口部（３）を相対向して固定した２本の断面リップ付きチャンネル状のガイドレール（１）と、ガイドレール（１）の開口部（３）に両端部が嵌め付けられ、ワイヤーロープ（４）によって昇降操作される幕布連結用の多数本の昇降バー（５）と、昇降バー（５）の両端部に取り付けられ、ガイドレール（１）の内部を転動するローラー（６）を回転自在に設けてなる懸垂幕昇降装置において、上記昇降バー（５）の端部のストッパー（８）とローラー（６）との間に、ローラー（６）をガイドレール（１）のリップ方向へ常時押圧する弾性体（９）を介在させた懸垂幕昇降装置。
【請求項２】
建物の外壁面（２）に開口部（３）を相対向して固定した２本の断面リップ付きチャンネル状のガイドレール（１）の開口部（３）に両端部を嵌め付けられ、ワイヤーロープ（４）によって昇降操作される幕布連結用の多数本の昇降バー（５）と、昇降バー（５）の両端部に取り付けられ、ガイドレール（１）の内部を転動するローラー（６）を回転自在に設けてなる懸垂幕昇降装置において、上記ローラー（６）を合成樹脂製とし、昇降バー（５）の端部のストッパー（８）と合成樹脂製のローラー（６）との間に、合成樹脂製のローラー（６）をガイドレール（１）のリップ方向へ常時押圧する弾性体（９）を介在させた懸垂幕昇降装置。
【請求項３】
ローラー（６）の外周にゴムなどの緩衝材（７）を巻き付けた請求項１または２記載の懸垂幕昇降装置。
【請求項４】
弾性体（９）がコイルバネである請求項１、２または３記載の懸垂幕昇降装置。
【発明の詳細な説明】
【０００１】
【発明の属する技術分野】
本発明は、広告文、広報文などを表示した帯状の幕布を建物の外壁面に吊り下げる懸垂幕昇降装置に関する。
【０００２】
【従来の技術】
一般に、懸垂幕昇降装置は、建物の外壁面に、２本の断面リップ付きチャンネル状のガイドレールを開口部を相対向して配置して固定し、ワイヤーロープによって昇降操作される幕布連結用の多数本の昇降バーを、その両端部をガイドレールの開口部に嵌め付けて設け、これをガイドレールの上方、または下方に設けたドラムにワイヤーロープを巻き取り、或いは緩めることで、多数本の昇降バーを昇降させ、昇降バーに連結した帯状の幕布を伸長、縮小させる方式としていたのである。
【０００３】
しかしながら、従来の懸垂幕昇降装置は、幕布の昇降に際しての昇降バーのガイドレールへの擦過、或いは、風などによる幕布の揺れによる昇降バーのガイドレールへの衝突により、不測の衝撃音が発生していたのであり、この不都合を防止するためにはガイドレールと昇降バーとのクリアランスを小さくすればある程度衝撃音の発生を抑えることができるのであるが、建物の外壁面へのガイドレールの施工に当っては高精度の作業が不可能であり、また、クリアランスが小さくなることによっては昇降バーの片側、若しくは両側がガイドレールに引っ掛かってしまい、幕布の昇降ができなくなるおそれを多分に有していたのである。
【０００４】
このため従来では、昇降バーの両端部に、ガイドレールの内部を転動するローラを回転自在に設け、昇降バーの前後方向の揺れに対してはガイドレールとのクリアランスを小さくして配したローラーで対処していたのであるが、昇降バーの左右方向への揺れに対しては、やはりガイドレールとローラーとのクリアランスが大きいために揺れを完全に防止することはできず、結果として昇降バーやローラーがガイドレールに衝突する事態を解消することはできなかったのである。
【０００５】
【発明が解決しようとする課題】
解決しようとする問題点は、懸垂された幕布が風などによって揺れを生じ、昇降バーが左右動して昇降バーの両端がガイドレールに衝突し、或いは昇降バーの両端部に取り付けたローラーがガイドレールのリップ部に衝突し、衝撃音を発することである。
【０００６】
【課題を解決するための手段】
本発明の基本とするところは、建物の外壁面に開口部を相対向して固定した２本の断面リップ付きチャンネル状のガイドレールと、ガイドレールの開口部に両端部が嵌め付けられ、ワイヤーロープによって昇降操作される幕布連結用の多数本の昇降バーと、昇降バーの両端部に取り付けられ、ガイドレールの内部を転動するローラーを回転自在に設けてなる懸垂幕昇降装置において、上記昇降バーの端部のストッパーとローラーとの間に、ローラーをガイドレールのリップ方向へ常時押圧する弾性体を介在させたのである。
【０００７】
また、ローラーは、滑りやすい合成樹脂製であることが好ましく、この合成樹脂製のローラーの外周にゴムなどの緩衝材を巻き付けるのもよい。
【０００８】
更に、弾性体は、コイルバネであることが望ましいのである。
【０００９】
【作用】
而して、昇降バーの端部のストッパーとローラーとの間に、ローラーをガイドレールのリップ方向へ押圧する弾性体を介在させたことにより、昇降バーの両端部のローラーは互いにガイドレールのリップ方向へ常時押圧されることになり、昇降バーの左右方向の動きは制限され、ローラーがガイドレールのリップ、或いは昇降バーの端部がガイドレールに衝突することはなく、衝撃音の発生はない。
【００１０】
また、ローラーを滑りやすい合成樹脂製とした場合には、ローラーがガイドレールのリップ方向へ押圧されていたとしても擦過しての昇降が騒音を発生することなく円滑に行なえるのであり、しかも、このローラーの外周にゴムなどの緩衝材を巻き付けることによって、昇降バーの前後方向への動きによって生じるローラーのガイドレールへの衝突に際しても衝撃音の発生を防止するのである。
【００１１】
更に、弾性体がコイルバネである場合には、ローラーを取り付けた昇降バーに、螺旋状にねじ込むことによりストッパーとローラーとの間に介在させることができるのである。
【００１２】
【実施例】
以下、図面に基づいて本考案の実施例を説明すると、１は建物の外壁面２に開口部３を相対向して固定した２本の断面リップ付きチャンネル状のガイドレールで、このガイドレール１には、ワイヤーロープ４によって昇降操作される多数本の幕布連結用の昇降バー５が両端部を開口部３に嵌め付けて設けられている。
【００１３】
６は昇降バー５の両端部に回転自在に取り付けられ、ガイドレール１の内部を転動する合成樹脂材よりなるローラーで、その外周にはゴムなどの緩衝材７を巻き付けている。
このローラー６は、昇降バー５の端部のストッパー８とローラー６との間に介在させた弾性体９により、ガイドレール１のリップ方向へ常時押圧されている。
【００１４】
図面に示した実施例では、弾性体９をコイルバネとしているが、必ずしもこれに限るものではなく、例えば、図３に示すように弾性ゴムを用いても、或いは、その他の弾性素材やバネ材を用いてもよいことは当然である。
【００１５】
【発明の効果】
本発明は上記のように構成されることから、昇降バーの左右方向の動きは制限され、ローラーがガイドレールのリップ、或いは昇降バーの端部がガイドレールに衝突することはなくなり、衝撃音の発生を防止できるのである。
【００１６】
また、ローラーが合成樹脂製である場合には、ローラーがガイドレールのリップ方向へ押圧されていたとしても滑りやすく、昇降バーの昇降が円滑に、且つ、静かに行なえるのである。
【００１７】
しかも、ローラーの外周にゴムなどの緩衝材を巻き付けることで、昇降バーの前後方向への動きによって生じるローラーのガイドレールへの衝突に際しても衝撃音の発生を防止でき、昇降バーの左右方向への動きばかりでなく、前後方向への動きに対しても衝撃音の発生を防止でき静かな懸垂幕昇降装置を得ることができるのである。
【００１８】
更に、弾性体がコイルバネである場合には、ローラーを取り付けた昇降バーに、螺旋状にねじ込むことによりストッパーとローラーとの間に介在させることができるのであり、既設の懸垂幕昇降装置に対しても弾性体の取り付けが可能となるものである。
【図面の簡単な説明】
【図１】懸垂幕昇降装置の正面図である。
【図２】要部の横断平面図である。
【図３】弾性体の他の実施例を示す要部の横断平面図である。
【符号の説明】
１            ガイドレール
２            外壁
３            開口部
４            ワイヤーロープ
５            昇降バー
６            ローラー
７            緩衝材
８            ストッパー
９            弾性体
【図１】
0004663170.tif 000002
【図２】
0004663170.tif 000003
【図３】
0004663170.tif 000004